(57)【要約】【課題】簡単な構造で棚への取り付けに汎用性があるショーケースおよびエアカーテンガイドを提供する。【解決手段】本発明のエアカーテンガイド１００は、棚板２３に設けられた空間に挿入される挿入部３０と、挿入部３０から延出する延出部４０と、延出部４０から起立する起立部５０と、起立部５０に取り付けられてエアカーテンをガイドするガイド部６０とを備えている。挿入部３０と延出部４０と起立部５０とは１つの接続ユニット７０で構成され、この接続ユニット７０が互いに分離して複数設けられ、各接続ユニット７０はガイド部６０にスライド式に差し込まれて取り付けられる。【選択図】図６
2019208677.tif 000002
【特許請求の範囲】
【請求項１】
前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気によるエアカーテンを構成してなるショーケースにおいて、
前記棚の前端部にエアカーテンガイドを有し、
前記エアカーテンガイドは、前記棚に設けられた空間に挿入される挿入部と、前記挿入部から延出する延出部と、前記延出部から起立する起立部と、前記起立部に取り付けられてエアカーテンをガイドするガイド部とを備えたことを特徴とするショーケース。
【請求項２】
前記挿入部と前記延出部と前記起立部とは１つの接続ユニットで構成され、前記エアカーテンガイドは、互いに分離された複数の前記接続ユニットで構成されることを特徴とする請求項１に記載のショーケース。
【請求項３】
前記起立部は平板状に構成され、前記ガイド部にスライド式に差し込まれて取り付け可能なことを特徴とする請求項２に記載のショーケース。
【請求項４】
前記挿入部は平板状に構成され、前記棚は前方に隙間を空けてガードが設けられ、前記挿入部が前記隙間に挿入されることで前記エアカーテンガイドが前記棚に固定されることを特徴とする請求項３に記載のショーケース。
【請求項５】
前記挿入部と前記延出部はワイヤーで構成され、前記挿入部は前記延出部に対して折れ曲がったピン形状に構成され、前記挿入部は、前記棚に設けられた開口に挿入されることで前記エアカーテンガイドが前記棚に固定されることを特徴とする請求項３に記載のショーケース。
【請求項６】
前記エアカーテンガイドは、前記挿入部が前記開口に挿入された後に前記棚の裏面から前記挿入部を固定する固定部をさらに備えたことを特徴とする請求項５に記載のショーケース。
【請求項７】
前記挿入部と前記延出部と前記起立部とは１つの接続ユニットで構成され、前記エアカーテンガイドは、複数の前記接続ユニットが一体となって構成されることを特徴とする請求項１に記載のショーケース。
【請求項８】
前記起立部は中空の矩形ワイヤーで構成され、前記ガイド部にクリップ式に差し込まれて取り付け可能なことを特徴とする請求項７に記載のショーケース。
【請求項９】
前記挿入部は中空のループ状ワイヤーで構成され、前記棚は前方に隙間を空けてガードが設けられ、前記挿入部が前記隙間に挿入されることで前記エアカーテンガイドが前記棚に固定されることを特徴とする請求項８に記載のショーケース。
【請求項１０】
前記挿入部と前記延出部はワイヤーで構成され、前記挿入部は前記延出部に対して折れ曲がったピン形状に構成され、前記挿入部は、前記棚に設けられた開口に挿入されることで前記エアカーテンガイドが前記棚に固定されることを特徴とする請求項８に記載のショーケース。
【請求項１１】
前記エアカーテンガイドは、前記挿入部が前記開口に挿入された後に前記棚の裏面から前記挿入部を固定する固定部をさらに備えたことを特徴とする請求項１０に記載のショーケース。
【請求項１２】
前記ガイド部は、前記エアカーテンの冷気吐出口の前方境界の真下に配置されたことを特徴とする請求項１ないし１１のいずれか１つに記載のショーケース。
【請求項１３】
前記エアカーテンは、第１のエアカーテンと、前記第１のエアカーテンより内側で低温度である第２のエアカーテンとからなるダブルエアカーテンで構成され、前記ガイド部は、前記第１のエアカーテンと前記第２のエアカーテンの冷気吐出口の境界の真下に配置されたことを特徴とする請求項１２に記載のショーケース。
【請求項１４】
前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気によるエアカーテンを構成してなるショーケースに用いられるエアカーテンガイドであって、
前記エアカーテンガイドは、前記棚に設けられた空間に挿入される挿入部と、前記挿入部から延出する延出部と、前記延出部から起立する起立部と、前記起立部に取り付けられてエアカーテンをガイドするガイド部とを備えたことを特徴とするエアカーテンガイド。
【発明の詳細な説明】
【技術分野】
【０００１】
本発明は、ショーケースおよびショーケースに用いられるエアカーテンガイドに係り、特に、ショーケースの棚とエアカーテンガイドを係合する構造に関するものである。
【背景技術】
【０００２】
従来のショーケースにおいては、商品陳列室内への熱の侵入を防止するためにエアカーテンを用いているが、外側の暖気の影響でエアカーテンが乱され商品陳列室内の冷気が外部に漏洩する場合がある。そのため、棚の前方にエアカーテンガイドを設けてエアカーテンを整流して、冷蔵効果を高め、省エネを図る技術が開示されている（例えば、特許文献１を参照）。
【先行技術文献】
【特許文献】
【０００３】
【特許文献１】特表２０１６−５２０７８７号公報
【発明の概要】
【発明が解決しようとする課題】
【０００４】
しかし、特許文献１のエアカーテンガイドでは、棚への取り付けに特殊な構造を必要とし、さまざまなショーケースへの取り付けに際して汎用性に欠けるという課題があった。
【０００５】
本発明はこれらの点に鑑みてなされたものであり、簡単な構造で棚への取り付けに汎用性があるショーケースおよびエアカーテンガイドを提供することを目的とする。
【課題を解決するための手段】
【０００６】
前記目的を達成するため本発明の一局面に係るショーケースは、前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気によるエアカーテンを構成してなるショーケースにおいて、前記棚の前端部にエアカーテンガイドを有し、前記エアカーテンガイドは、前記棚に設けられた空間に挿入される挿入部と、前記挿入部から延出する延出部と、前記延出部から起立する起立部と、前記起立部に取り付けられてエアカーテンをガイドするガイド部とを備えたことを特徴とする。
【０００７】
また、本発明の他の局面に係るエアカーテンガイドは、前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気によるエアカーテンを構成してなるショーケースに用いられるエアカーテンガイドであって、前記エアカーテンガイドは、前記棚に設けられた空間に挿入される挿入部と、前記挿入部から延出する延出部と、前記延出部から起立する起立部と、前記起立部に取り付けられてエアカーテンをガイドするガイド部とを備えたことを特徴とする。
【発明の効果】
【０００８】
本発明によれば、さまざまな形状や大きさを有するショーケースに対して、簡単な構造でエアカーテンガイドを棚へ取り付けることができる。
【図面の簡単な説明】
【０００９】
【図１】本発明のショーケースの概略を示す断面図
【図２】図１のショーケースの棚とエアカーテンガイドを示す概略斜視図
【図３】本発明の第１の実施例のエアカーテンガイドの前方斜視図
【図４】本発明の第１の実施例のエアカーテンガイドの後方斜視図
【図５】本発明の第１の実施例のエアカーテンガイドの側方断面図
【図６】本発明の第１の実施例のエアカーテンガイドの分解斜視図
【図７】本発明の第１の実施例のエアカーテンガイドを棚に取り付けた状態を示す斜視図
【図８】本発明の第１の実施例のエアカーテンガイドを棚に取り付けた状態を示す断面図
【図９】本発明の第２の実施例のエアカーテンガイドの前方斜視図
【図１０】本発明の第２の実施例のエアカーテンガイドの後方斜視図
【図１１】本発明の第２の実施例のエアカーテンガイドの側方断面図
【図１２】本発明の第２の実施例のエアカーテンガイドの分解斜視図
【図１３】本発明の第２の実施例のエアカーテンガイドを棚に取り付けた状態を示す斜視図
【図１４】本発明の第２の実施例のエアカーテンガイドを棚に取り付けた状態を示す断面図
【図１５】本発明の第３の実施例のエアカーテンガイドの前方斜視図
【図１６】本発明の第３の実施例のエアカーテンガイドの後方斜視図
【図１７】本発明の第３の実施例のエアカーテンガイドの側方断面図
【図１８】本発明の第３の実施例のエアカーテンガイドの分解斜視図
【図１９】本発明の第３の実施例のエアカーテンガイドを棚に取り付けた状態を示す斜視図
【図２０】本発明の第３の実施例のエアカーテンガイドを棚に取り付けた状態を示す断面図
【図２１】本発明の第４の実施例のエアカーテンガイドの前方斜視図
【図２２】本発明の第４の実施例のエアカーテンガイドの後方斜視図
【図２３】本発明の第４の実施例のエアカーテンガイドの側方断面図
【図２４】本発明の第４の実施例のエアカーテンガイドの分解斜視図
【図２５】本発明の第４の実施例のエアカーテンガイドを棚に取り付けた状態を示す斜視図
【図２６】本発明の第４の実施例のエアカーテンガイドを棚に取り付けた状態を示す断面図
【発明を実施するための形態】
【００１０】
第１の発明は、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気によるエアカーテンを構成してなるショーケースにおいて、棚の前端部にエアカーテンガイドを有し、エアカーテンガイドは、棚に設けられた空間に挿入される挿入部と、挿入部から延出する延出部と、延出部から起立する起立部と、起立部に取り付けられてエアカーテンをガイドするガイド部とを備えた。
これによれば、簡単な構成によってエアカーテンガイドを容易に棚に取り付けることができ、既存のショーケースやサイズ違いといったさまざまな種類のショーケースへの取り付けに対応することができる。
【００１１】
第２の発明は、第１の発明において、挿入部と延出部と起立部とは１つの接続ユニットで構成され、エアカーテンガイドは、互いに分離された複数の接続ユニットで構成される。
これによれば、接続ユニットの配置変更や数の増減を行うだけで、棚のサイズが異なるショーケースに容易に取り付けることができ、さまざまな種類のショーケースへの取り付けに対応することができる。
【００１２】
第３の発明は、第２の発明において、起立部は平板状に構成され、ガイド部にスライド式に差し込まれて取り付け可能とした。
これによれば、起立部とガイド部との接続が安定し、また、位置関係をスライド方向に微調節できるので、サイズが異なる棚への取り付けが容易になる。
【００１３】
第４の発明は、第３の発明において、挿入部は平板状に構成され、棚は前方に隙間を空けてガードが設けられ、挿入部が隙間に挿入されることでエアカーテンガイドが棚に固定される。
これによれば、ショーケースの棚前面に既にガードが設けられている場合に、既存の棚の構造を変更せずに、エアカーテンガイドを安定して棚に取り付けることができる。
【００１４】
第５の発明は、第３の発明において、挿入部と延出部はワイヤーで構成され、挿入部は延出部に対して折れ曲がったピン形状に構成され、挿入部は、棚に設けられた開口に挿入されることでエアカーテンガイドが棚に固定される。
これによれば、ショーケースの棚前面にガードが設けられていない場合に、棚に開口を開ける簡単な作業のみで、または既に棚に設けられている開口を利用して、さまざまな種類の棚に対して容易にエアカーテンガイドを取り付けることができる。
【００１５】
第６の発明は、第５の発明において、エアカーテンガイドは、挿入部が開口に挿入された後に棚の裏面から挿入部を固定する固定部をさらに備えた。
これによれば、挿入部が開口から外れて棚から脱落することを確実に防止できる。
【００１６】
第７の発明は、第１の発明において、挿入部と延出部と起立部とは１つの接続ユニットで構成され、エアカーテンガイドは、複数の接続ユニットが一体となって構成される。
これによれば、接続ユニットが分離している場合に比べ、エアカーテンガイド全体の強度を高めることができ、一度にエアカーテンガイドを棚に取り付けることができるので取り付けが容易になる。
【００１７】
第８の発明は、第７の発明において、起立部は中空の矩形ワイヤーで構成され、ガイド部にクリップ式に差し込まれて取り付け可能とした。
これによれば、起立部とガイド部との接続が容易になるとともに、ガイド部に商品の値札を取り付けやすくなる。
【００１８】
第９の発明は、第８の発明において、挿入部は中空のループ状ワイヤーで構成され、棚は前方に隙間を空けてガードが設けられ、挿入部が隙間に挿入されることでエアカーテンガイドが棚に固定される。
これによれば、ショーケースの棚前面に既にガードが設けられている場合に、既存の棚の構造を変更せずに、エアカーテンガイドを安定して棚に取り付けることができる。
【００１９】
第１０の発明は、第８の発明において、挿入部と延出部はワイヤーで構成され、挿入部は延出部に対して折れ曲がったピン形状に構成され、挿入部は、棚に設けられた開口に挿入されることでエアカーテンガイドが棚に固定される。
これによれば、ショーケースの棚前面にガードが設けられていない場合に、棚に開口を開ける簡単な作業のみで、または既に棚に設けられている開口を利用して、さまざまな種類の棚に対して容易にエアカーテンガイドを取り付けることができる。
【００２０】
第１１の発明は、第９の発明において、エアカーテンガイドは、挿入部が開口に挿入された後に棚の裏面から挿入部を固定する固定部をさらに備えた。
これによれば、挿入部が開口から外れて棚から脱落することを確実に防止できる。
【００２１】
第１２の発明は、第１の発明において、ガイド部は、エアカーテンの冷気吐出口の前方境界の真下に配置された。
これによれば、エアカーテンを効果的に整流でき、消費エネルギーを抑制することができる。
【００２２】
第１３の発明は、第１２の発明において、エアカーテンは、第１のエアカーテンと、第１のエアカーテンより外側で高温である第２のエアカーテンとからなるダブルエアカーテンで構成され、ガイド部は、第１のエアカーテンと第２のエアカーテンの冷気吐出口の境界の真下に配置された。
これによれば、第１のエアカーテンに比して比較的高温の冷気である第２のエアカーテンの流入、および、第１のエアカーテンの流出を抑制することができるので、第１のエアカーテンの温度の上昇を抑えることができ、消費エネルギーの抑制と陳列室内の商品の温度上昇の防止とを両立することができる。
【００２３】
第１４の発明は、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気によるエアカーテンを構成してなるショーケースに用いられるエアカーテンガイドであって、エアカーテンガイドは、棚に設けられた空間に挿入される挿入部と、挿入部から延出する延出部と、延出部から起立する起立部と、起立部に取り付けられてエアカーテンをガイドするガイド部とを備えた。
これによれば、簡単な構成によってエアカーテンガイドを容易に棚に取り付けることができ、既存のショーケースやサイズ違いといったさまざまな種類のショーケースへの取り付けに対応することができる。
【００２４】
以下、本発明に係るエアカーテンガイドを適用したショーケースの実施形態について、図面を参照して説明する。
図１は、本発明のショーケースの概略を示す断面図である。図２は、図１のショーケースの棚とエアカーテンガイドを示す概略斜視図である。
【００２５】
本実施形態のショーケース１は、図１に示すように、例えばスーパーマーケットなどの店舗内に複数台据え付けられる冷蔵タイプの多段オープンショーケースであり、断面コ字状の箱型で内壁が断熱材で覆われたショーケース本体２と、商品を内部に陳列する陳列室１１と、商品を載置する棚１２とを備える。棚１２には商品を載置する棚板２３が取り付けられている。ショーケース本体２は、背面パネル６と、天面パネル７と、デッキパン１０とによって、背面ダクト９と上部ダクト１５と下部ダクト１４とからなるダクトを構成する。このダクト内に配置された図示しないファンや冷却器で構成される冷凍システムによってダクト内を冷気が循環する。このダクト内を循環した冷気は、前面開口５の上縁に形成された冷気吐出口１８から下方に向かって吐出される。吐出された冷気は前面開口５の下縁に形成された冷気吸込口１７から吸い込まれてダクト内に戻り、再び冷凍システムによって冷却されて冷気吐出口１８から吐出される。このようにして、陳列室１１の前面開口５には、上端から下方に向けて吹き出される冷気によるエアカーテンが構成され、前面開口５の外部からの外気の侵入を阻止、若しくは抑制すると共に、冷気エアカーテンの一部が陳列室１１内に循環して陳列室１１内が冷却される。
【００２６】
次に、図２を用いて、本実施形態のエアカーテンガイド１００について説明する。
図２に示すように、エアカーテンガイド１００は、棚板２３の前端に取り付けられる。エアカーテンガイド１００は、挿入部３０と、延出部４０と、起立部５０と、ガイド部６０とを有する。
【００２７】
挿入部３０は、棚板２３に設けられた空間に挿入されることで棚板２３に取り付けられる。既存のショーケースでは、しばしば、棚板２３の前端部２３Ａに、商品落下防止や値札を取り付けといった種々の用途のためガード２５が隙間２６を空けて設けられている。ガード２５が設けられている場合、挿入部３０は、この棚板２３の前端部２３Ａとガード２５との間の隙間２６に挿入されることで取り付けられる。
【００２８】
延出部４０は、挿入部３０から前方に向かって延出する前方延出部４１と、前方延出部４１から下方、例えば前方に向かって斜め下方に延出する下方延出部４２と、下方延出部４２から前方に延出する前方延出部４３とを有する。この延出部４０によって、挿入部３０と、起立部５０やガイド部６０との間に空間が形成される。エアカーテンはこの空間を下方に向かってガイドされる。下方延出部４２によって、ガイド部６０の位置を棚板２３と同程度の高さ以下にすることができるので、ガイド部６０が商品の取出しを阻害せずスムーズに取り出すことができる。
【００２９】
起立部５０は、延出部４０、例えば前方延出部４３から上方に起立してガイド部６０が取り付けられる。
【００３０】
挿入部３０と、延出部４０と、起立部５０とは簡易かつ強度の面から、典型的には金属製のワイヤーで構成されるが、必ずしもこれに限られない。ただし、少なくともワイヤーは同一の部材であることが好ましい。以下の説明において、各構成についてワイヤーという場合も同様である。また、挿入部３０と、延出部４０と、起立部５０とは１つの接続ユニットであり、複数の接続ユニットが棚板２３の幅方向に並べて設けられている。図２では各接続ユニットは一体となっているが、各々分離されていてもよい。
【００３１】
ガイド部６０は棚板２３の幅方向に伸びた矩形状の板であり、この板によって上方から流れるエアカーテンが外部に広がることを防止し、棚板２３の前端部２３Ａとの間の空間内をエアカーテンが流れるように整流する。ガイド部６０は、例えばプラスチック製で構成されるが透明であっても不透明であってもよい。ガイド部６０に電子タグや値札等の情報部材を取り付けてもよい。例えばガイド部６０をプライスレールと共用してもよい。
【００３２】
ガイド部６０は、エアカーテンの冷気吐出口１８の前方境界の真下に配置される。これによれば、ガイド部６０と前端部２３Ａとの間の空間に、暖かい外気が入ることの抑制とエアカーテンがこの空間外に漏れることとを両立することができる。したがって、エアカーテンを効果的に整流でき、消費エネルギーを抑制することができる。
【００３３】
近年では、特にエアカーテンを外気から保護するために、第１のエアカーテンの外に、外気より低いが内側の第１のエアカーテンより高温の冷気である第２のエアカーテンを流すダブルエアカーテンが知られている。このようなダブルエアカーテンがショーケースに用いられる場合、ガイド部６０は、第１のエアカーテンと第２のエアカーテンの冷気吐出口の境界の真下に配置されるのが望ましい。これによれば、第１のエアカーテンに比して比較的高温の冷気である第２のエアカーテンの流入、および、第１のエアカーテンの流出を抑制することができるので、第１のエアカーテンの温度の上昇を抑えることができ、消費エネルギーの抑制と陳列室内の商品の温度上昇の防止とを両立することができる。
【００３４】
以下に、エアカーテンガイドの実施形態として実施例１から実施例４を例に挙げて説明する。なお、各実施例において、上述と同様の構成については同一の符号を付し、その説明を省略する。
【００３５】
（実施例１）
実施例１のエアカーテンガイドについて図３から図８を用いて説明する。図３は、エアカーテンガイドの前方斜視図である。図４はエアカーテンガイドの後方斜視図である。図５はエアカーテンガイドの側方断面図である。図６はエアカーテンガイドの分解斜視図である。図７はエアカーテンガイドを棚に取り付けた状態を示す斜視図である。図８はエアカーテンガイドを棚に取り付けた状態を示す断面図である。
【００３６】
本実施例のエアカーテンガイドでは、挿入部３０Ａと延出部４０Ａと起立部５０Ａとが１つの接続ユニット７０Ａにされており、各接続ユニット７０Ａがそれぞれ分離した状態でガイド部６０Ａに取り付けられている。図３や図４等ではこの接続ユニット７０Ａは３つ設けられているが、棚板２３に応じて、例えば幅方向のサイズに応じて、接続ユニット７０Ａの数を増減させてもよい。このようにすれば、ユニットモジュールの数や配置を調整することでどのようなタイプの棚板２３に対してもエアカーテンガイドを取り付けることができる。
【００３７】
挿入部３０Ａと延出部４０Ａは、例えば金属製のワイヤー形状で形成されている。挿入部３０Ａは、図６に示すように、延出部４０Ａから折り曲げられたピン形状に形成されている。具体的には、挿入部３０Ａは、延出部４０Ａの前方延出部４１から下方に折り曲げられた後、さらに後方に向かって折り曲げられた形状となっている。これにより、図７や図８に示すように、棚板２３の上面に設けられた挿通孔２７に挿入部３０Ａを垂直に差し込み、差し込んだ後に水平方向に倒すことでエアカーテンガイドを棚板２３に固定することができる。これによって、ガード２５が無いショーケースにおいても、棚板２３に挿通孔２７を設けるのみで、または既に棚板２３に開口がある場合はその開口を挿通孔２７に活用してさまざまな種類の棚板２３に対して簡易にエアカーテンガイドを取り付けることができる。また、エアカーテンガイド１００は、さらに挿入部３０Ａを固定する固定部３５を有する。図８に示すように、挿入部３０Ａを棚板２３の挿通孔２７に差し込んだ後、棚板２３の裏面において、挿入部３０Ａのピンを固定部３５の窪みに差し込んで固定する。この窪みについて、挿入部３０Ａのピンより狭い部分を形成することで挿入部３０Ａを固定することができる。この固定部３５により、挿入部３０Ａの回転方向への移動が規制され、エアカーテンガイド１００が棚板２３から外れるおそれを低減することができる。
【００３８】
起立部５０Ａは、ガイド部６０Ａへの取付部５１と、取付部５１の後方に突出して前方延出部４３と接続する接続部５２と、取付部５１から前方に突出した爪５３、５４とを有する。取付部５１は幅方向に広がった矩形の板状に形成されており、ガイド部６０との接合が強固になり接続が安定する。特に、各接続ユニット７０Ａが分離しているため接続ユニット７０Ａとガイド部６０との接続の補強に有用である。なお、取付部５１は必ずしも矩形でなくてもよく平板状であればよい。接続部５２は、前方延出部４３のワイヤー先端から起立したワイヤーをモールドして取付部５１に接続されている。また、図４や図５に示すように、爪５３、５４はそれぞれガイド部６０Ａに設けられた溝６１、６２に幅方向から差し込まれる。爪５３、５４をスライドすることで接続ユニット７０Ａの位置を自在に調整することができる。このため、起立部５０Ａとガイド部６０Ａとの位置関係をスライド方向に微調節できるので、サイズが異なる棚への取り付けが容易になる。特に、各接続ユニット７０Ａが分離しているため、例えば棚板２３への挿通孔２７の形成に精度が必要なく、取り付けの自由度が向上する。
【００３９】
（実施例２）
実施例２のエアカーテンガイドについて図９から図１４を用いて説明する。図９は、エアカーテンガイドの前方斜視図である。図１０はエアカーテンガイドの後方斜視図である。図１１はエアカーテンガイドの側方断面図である。図１２はエアカーテンガイドの分解斜視図である。図１３はエアカーテンガイドを棚に取り付けた状態を示す斜視図である。図１４はエアカーテンガイドを棚に取り付けた状態を示す断面図である。実施例２において、実施例１と同様の構成については同一の符号を付し、その説明を省略する。
【００４０】
本実施例のエアカーテンガイドでは、実施例１と同様に、例えば図１０や図１２に示すように、挿入部３０Ｂと延出部４０Ｂと起立部５０Ｂで構成される接続ユニット７０Ｂについて、複数の接続ユニット７０Ｂが分離している。一方で、実施例１に対して挿入部３０Ｂの形状が異なる。図９や図１０に示すように、挿入部３０Ｂは矩形の板状に構成されている。図１３や図１４に示すように、棚板２３には前方に隙間２６を空けてガード２５が設けられ、挿入部３０Ｂが隙間２６に挿入されることで、エアカーテンガイド１００が棚板２３に固定される。これによれば、ショーケース１の棚板２３の前端部２３Ａに既にガード２５が設けられている場合に、実施例１のような挿通孔２７を棚板２３に設ける加工を施す必要が無い。また、既存の棚の構造を変更せずに、エアカーテンガイド１００を安定して棚板２３に取り付けることができる。また、挿入部３０Ｂは矩形の板状であるため、エアカーテンガイド１００と棚板２３との接合が強固になり接続が安定する。特に、各接続ユニット７０Ａが分離しているため接続ユニット７０Ａと棚板２３との接続の補強に有用である。なお、挿入部３０Ｂの形状は必ずしも矩形でなくてもよく平板状であればよい。また、挿入部３０Ｂが矩形等の平板状であるため、挿入部３０Ｂにさらにネジや接着剤等を用いて棚板２３にさらに強固に固定することもできる。
【００４１】
（実施例３）
実施例３のエアカーテンガイドについて図１５から図２０を用いて説明する。図１５は、エアカーテンガイドの前方斜視図である。図１６はエアカーテンガイドの後方斜視図である。図１７はエアカーテンガイドの側方断面図である。図１８はエアカーテンガイドの分解斜視図である。図１９はエアカーテンガイドを棚に取り付けた状態を示す斜視図である。図２０はエアカーテンガイドを棚に取り付けた状態を示す断面図である。実施例３において、実施例１や実施例２と同様の構成については同一の符号を付し、その説明を省略する。
【００４２】
本実施例のエアカーテンガイドでは、実施例１や実施例２と異なり、例えば図１８に示すように、挿入部３０Ｃと延出部４０Ｃと起立部５０Ｃで構成される接続ユニットについて、複数の接続ユニットが分離しておらず、一体の接続ユニット７０となっている。各接続ユニットの一体化は、起立部５０Ｃが有する中空の矩形ワイヤーである取付部５５と、延出部４０Ｃが有する補強部４５とによってなされる。
【００４３】
取付部５５は、起立部５０Ｃ前面の上端と下端に接合されて起立部５０Ｃに取り付けられている。また、図１６や図１７に示すように、取付部５５は、ガイド部６０Ｃの上端に設けられたクリップ部６３に上方から差し込まれることで、ガイド部６０Ｃが起立部５０Ｃに取り付けられる。これによれば、ガイド部６０Ｃが起立部５０Ｃから容易に着脱可能なので、ガイド部６０Ｃへの商品の値札等の情報部材の取り付けが容易になる。
【００４４】
図１６〜図１８に示すように、補強部４５は、幅方向に伸びる直線状のワイヤーであり、接続ユニット７０の強度を補強する。補強部４５は、前方延出部４１の下部の略中央に取り付けられている。また、補強部４５の両端からは補強端部４７が下方に伸びている。図１９や図２０に示すように、実施例１と同様に挿入部３０Ｃが、棚板２３上面の挿通孔２７を介して棚板２３に取り付けられたときに、補強部４５と補強端部４７が棚板２３の前端部２３Ａに当接する。これによって、挿入部３０Ｃの棚板２３への固定が安定したものになる。
【００４５】
実施例３のエアカーテンガイドによれば、実施例１や実施例２に比べて、挿入部３０Ｃと延出部４０Ｃと起立部５０Ｃとをワイヤーのみで構成することができるため、簡易かつ安価にエアカーテンガイドを形成することができる。
【００４６】
（実施例４）
実施例４のエアカーテンガイドについて図２１から図２６を用いて説明する。図２１は、エアカーテンガイドの前方斜視図である。図２２はエアカーテンガイドの後方斜視図である。図２３はエアカーテンガイドの側方断面図である。図２４はエアカーテンガイドの分解斜視図である。図２５はエアカーテンガイドを棚に取り付けた状態を示す斜視図である。図２６はエアカーテンガイドを棚に取り付けた状態を示す断面図である。実施例４において、実施例１から実施例３と同様の構成については同一の符号を付し、その説明を省略する。
【００４７】
本実施例のエアカーテンガイドでは、実施例３と同様に、例えば図２２や図２４に示すように、挿入部３０Ｄと延出部４０Ｄと起立部５０Ｄで構成される接続ユニットについて、複数の接続ユニットが分離しておらず一体の接続ユニット７０となっている。
【００４８】
実施例３とは、起立部５０Ｃが取付部５５を有する点で共通する。一方、挿入部３０Ｄの形状は異なる。挿入部３０Ｄはワイヤーで構成され、中空の矩形形状となっている。隣り合う挿入部３０Ｄ間は、ワイヤーである補強部４６によってそれぞれ接続されている。これによって、図２１や図２２に示すように各挿入部３０Ｄが一直線上に固定されるため、挿入部３０Ｄの棚板２３への取り付けが容易になる。
【００４９】
図２５や図２６に示すように、挿入部３０Ｄは、棚板２３の前端部２３Ａとガード２５との間に設けられた隙間２６に上方から挿入されることで前端部２３Ａとガード２５とによって保持される。これによって、エアカーテンガイド１００が棚板２３に取り付けられる。これによれば、ショーケース１の棚板２３の前面部２３Ａに既にガード２５が設けられている場合に、実施例１や実施例３のような挿通孔２７を棚板２３に設ける加工を施す必要が無い。また、既存の棚の構造を変更せずに、エアカーテンガイド１００を安定して棚板２３に取り付けることができる。なお、挿入部３０Ｄの形状は必ずしも矩形でなくてもよい。前端部２３Ａとガード２５とによって強固に挿入部３０Ｄが保持されることが可能な形状であればよい。例えば各挿入部３０Ｄが下方に２箇所突出する形状で二点支持されるようにしてもよい。例えば図２１や図２２のように、２箇所下方に突出した部分がつながったループ形状であれば、挿入部３０Ｄの変形を抑制しやすい。特に、エアカーテンガイド１００では、ショーケース１によっては、延出部４０Ｄが前方に長くなり、挿入部３０Ｄに強い応力がかかる場合もあるため、このようなループ形状は有用である。
【００５０】
例えば図８や図１４や図２０や図２６に示すように、いずれの実施例においても、挿入部３０Ａ〜Ｄや延出部４０Ａ〜Ｄから、図２に示すような棚板２３に対して上方に突出する部分は形成されていない。これによってエアカーテンガイド１００によって棚板２３に陳列されている商品の取り出しを阻害したりショーケース１の外観を損なったりすることが抑制される。
【００５１】
以上述べたように、本実施形態においては、前面が開口する陳列室１１内に架設された商品陳列用の棚１２を有し、前面開口５の上縁に形成された冷気吐出口１８より冷気を吐出し、前面開口５の下縁に形成された冷気吸込口１７より吸い込むことにより、陳列室１１の前面開口５に冷気によるエアカーテンを構成してなるショーケース１において、棚１２の前端部２３Ａにエアカーテンガイド１００を有し、エアカーテンガイド１００は、棚１２に設けられた空間に挿入される挿入部３０と、挿入部３０から延出する延出部４０と、延出部４０から起立する起立部５０と、起立部５０に取り付けられてエアカーテンをガイドするガイド部６０とを備えた。
これによれば、簡単な構成によってエアカーテンガイド１００を容易に棚１２に取り付けることができ、既存のショーケースやサイズ違いといったさまざまな種類のショーケースへの取り付けに対応することができる。
【００５２】
また、本実施形態においては、挿入部３０と延出部４０と起立部５０とは１つの接続ユニット７０で構成され、エアカーテンガイド１００は、互いに分離された複数の接続ユニット７０で構成される。
これによれば、接続ユニット７０の配置変更や数の増減を行うだけで、棚１２、特に棚板２３の幅方向のサイズが異なるショーケースに容易に取り付けることができ、さまざまな種類のショーケースへの取り付けに対応することができる。
【００５３】
また、本実施形態においては、起立部５０は平板状に構成され、ガイド部６０にスライド式に差し込まれて取り付け可能とした。
これによれば、起立部５０とガイド部６０との接続が安定し、また、位置関係をスライド方向に微調節できるので、サイズが異なる棚１２、特に幅が異なる棚板２３への取り付けが容易になる。
【００５４】
また、本実施形態においては、挿入部３０は平板状に構成され、棚１２には前方に隙間２６を空けてガード２５が設けられ、挿入部３０が隙間２６に挿入されることでエアカーテンガイド１００が棚１２に固定される。
これによれば、ショーケース１の棚１２の前端部２３Ａに既にガード２５が設けられている場合に、既存の棚１２の構造を変更せずに、エアカーテンガイド１００を安定して棚１２に取り付けることができる。
【００５５】
また、本実施形態においては、挿入部３０と延出部４０はワイヤーで構成され、挿入部３０は延出部４０に対して折れ曲がったピン形状に構成され、挿入部３０は、棚１２の棚板２３に設けられた開口である挿通孔２７に挿入されることでエアカーテンガイド１００が棚１２に固定される。
これによれば、ショーケース１の棚１２の前面にガード２５が設けられていない場合に、棚板２３に開口を開ける簡単な作業のみで、または既に棚板２３に設けられている開口である挿通孔２７を利用して、さまざまな種類の棚１２、特に幅が異なる棚板２３に対して容易にエアカーテンガイド１００を取り付けることができる。
【００５６】
また、本実施形態においては、エアカーテンガイド１００は、挿入部３０が開口である挿通孔２７に挿入された後に棚１２の棚板２３の裏面から挿入部３０を固定する固定部３５をさらに備えた。
これによれば、挿入部３０が開口である挿通孔２７から外れて棚１２の棚板２３から脱落することを確実に防止できる。
【００５７】
また、本実施形態においては、挿入部３０と延出部４０と起立部５０とは１つの接続ユニット７０で構成され、エアカーテンガイド１００は、複数の接続ユニット７０が一体となって構成される。
これによれば、接続ユニット７０が分離している場合に比べ、エアカーテンガイド１００全体の強度を高めることができ、一度にエアカーテンガイド１００を棚１２の棚板２３に取り付けることができるので取り付けが容易になる。
【００５８】
また、本実施形態においては、起立部５０は中空の矩形ワイヤーで構成され、ガイド部６０にクリップ式に差し込まれて取り付け可能とした。
これによれば、起立部５０とガイド部６０との接続が容易になるとともに、ガイド部６０に商品の値札等の情報部材を取り付けやすくなる。
【００５９】
また、本実施形態においては、挿入部３０は中空のループ状ワイヤーで構成され、棚１２の棚板２３には前方に隙間２６を空けてガード２５が設けられ、挿入部３０が隙間２６に挿入されることでエアカーテンガイド１００が棚１２の棚板２３に固定される。
これによれば、ショーケース１の棚板２３の前面に既にガード２５が設けられている場合に、既存の棚１２の構造を変更せずに、エアカーテンガイド１００を安定して棚１２の棚板２３に取り付けることができる。
【００６０】
また、本実施形態においては、挿入部３０と延出部４０はワイヤーで構成され、挿入部３０は延出部４０に対して折れ曲がったピン形状に構成され、挿入部３０は、棚板２３に設けられた開口である挿通孔２７に挿入されることでエアカーテンガイド１００が棚１２の棚板２３に固定される。
これによれば、ショーケースの棚前面にガードが設けられていない場合に、棚に開口を開ける簡単な作業のみで、または既に棚に設けられている開口を利用して、さまざまな種類の棚に対して容易にエアカーテンガイドを取り付けることができる。
【００６１】
また、本実施形態においては、エアカーテンガイド１００は、挿入部３０が開口である挿通孔２７に挿入された後に棚１２の棚板２３の裏面から挿入部３０を固定する固定部３５をさらに備えた。
これによれば、挿入部３０が開口である挿通孔２７から外れて棚１２の棚板２３から脱落することを確実に防止できる。
【００６２】
また、本実施形態においては、ガイド部６０は、エアカーテンの冷気吐出口１８の前方境界の真下に配置された。
これによれば、エアカーテンを効果的に整流でき、消費エネルギーを抑制することができる。
【００６３】
また、本実施形態においては、エアカーテンは、第１のエアカーテンと、第１のエアカーテンより外側で高温である第２のエアカーテンとからなるダブルエアカーテンで構成され、ガイド部６０は、第１のエアカーテンと第２のエアカーテンの冷気吐出口の境界の真下に配置された。
これによれば、第１のエアカーテンに比して比較的高温の冷気である第２のエアカーテンの流入、および、第１のエアカーテンの流出を抑制することができるので、第１のエアカーテンの温度の上昇を抑えることができ、消費エネルギーの抑制と陳列室内の商品の温度上昇の防止とを両立することができる。
【００６４】
なお、本発明の実施形態について図面に基づいて説明したが、本発明は、前記実施形態に限られるものではなく、発明の要旨を逸脱しない範囲で変更可能である。
【産業上の利用可能性】
【００６５】
以上のように、本発明に係るショーケースおよびエアカーテンガイドは、エアカーテンを整流して消費エネルギーを抑制する場合に好適であり、棚の種類やサイズが異なるさまざまなタイプの商品陳列の用途に利用することができる。
【符号の説明】
【００６６】
１  ショーケース
２  ショーケース本体
５  前面開口
６  背面パネル
７  天面パネル
９  背面ダクト
１０  デッキパン
１１  陳列室
１２  棚
１４  下部ダクト
１５  上部ダクト
１７  冷気吸込口
１８  冷気吐出口
２３  棚板
２３Ａ  前端部
２５  ガード
２６  隙間
２７  挿通孔
３０、３０Ａ、３０Ｂ、３０Ｃ、３０Ｄ  挿入部
３５  固定部
４０、４０Ａ、４０Ｂ、４０Ｃ、４０Ｄ  延出部
４１、４３  前方延出部
４２  下方延出部
４５、４６  補強部
４７  補強端部
５０、５０Ａ、５０Ｂ、５０Ｃ、５０Ｄ  起立部
５１、５５  取付部
５２  接続部
５３、５４  爪
６０、６０Ａ、６０Ｂ、６０Ｃ、６０Ｄ  ガイド部
６１、６２  溝
６３  クリップ部
７０、７０Ａ、７０Ｂ  接続ユニット
１００  エアカーテンガイド
【図１】
2019208677.tif 000003
【図２】
2019208677.tif 000004
【図３】
2019208677.tif 000005
【図４】
2019208677.tif 000006
【図５】
2019208677.tif 000007
【図６】
2019208677.tif 000008
【図７】
2019208677.tif 000009
【図８】
2019208677.tif 000010
【図９】
2019208677.tif 000011
【図１０】
2019208677.tif 000012
【図１１】
2019208677.tif 000013
【図１２】
2019208677.tif 000014
【図１３】
2019208677.tif 000015
【図１４】
2019208677.tif 000016
【図１５】
2019208677.tif 000017
【図１６】
2019208677.tif 000018
【図１７】
2019208677.tif 000019
【図１８】
2019208677.tif 000020
【図１９】
2019208677.tif 000021
【図２０】
2019208677.tif 000022
【図２１】
2019208677.tif 000023
【図２２】
2019208677.tif 000024
【図２３】
2019208677.tif 000025
【図２４】
2019208677.tif 000026
【図２５】
2019208677.tif 000027
【図２６】
2019208677.tif 000028